(57)【要約】【課題】  従来のごみ容器は、ごみを圧縮できなかった。また圧縮機能を付加した従来のごみ容器は構造が複雑で製造コストが高く使いづらかった。これはごみを圧縮するのに複雑な構造を要していたためである。【解決手段】  ごみ容器の側面に足が入るくらいの幅をもつスリットを設け、そのスリットから足を入れてごみを直接足で踏みつけて圧縮する。これにより複雑なごみ圧縮機構は必要とせずにごみを確実に圧縮することができる。【選択図】図１４
2006347765.tif 000002
【特許請求の範囲】
【請求項１】
ごみ容器において、ごみ容器の側面に、ごみ容器の上面のふちの一点と前記上面のふちに対向する底面のふちの一点とを結ぶ直線に重なるようにスリットを設けたことを特徴とする、ごみ圧縮機能を有するごみ容器。
【請求項２】
ごみ容器において、ごみ容器の側面に、ごみ容器の上面のふちの一点と前記上面のふちに対向する底面のふちの一点とを結ぶ直線に重なるようにスリットを設け、前記スリットの下端部とごみ容器の底面のふちとの間に、ごみ容器の側面の一部を有することを特徴とする、ごみ圧縮機能を有するごみ容器。
【請求項３】
ごみ容器において、ごみ容器の側面に、ごみ容器の上面のふちの一点と前記上面のふちに対向する底面のふちの一点とを結ぶ直線に重なるようにスリットを設け、前記スリットの上端部とごみ容器の上面のふちとの間に、ごみ容器の側面の一部を有し、かつスリット下端部とごみ容器の底のふちとが接していることを特徴とする、ごみ圧縮機能を有するごみ容器。
【請求項４】
ごみ容器において、ごみ容器の側面に、ごみ容器の上面のふちの一点と前記上面のふちに対向する底面のふちの一点とを結ぶ直線に重なるようにスリットを設け、前記スリットを覆う別体の板を前記スリットに重なるように取り付け手段により取り付けたことを特徴とする、ごみ圧縮機能を有するごみ容器。
【請求項５】
ごみ容器において、ごみ容器の側面に、ごみ容器の上面のふちの一点と前記上面のふちに対向する底面のふちの一点とを結ぶ直線に重なるように開閉自在の扉を設けたことを特徴とする、ごみ圧縮機能を有するごみ容器。
【請求項６】
ごみ容器において、ごみ容器の側面に、ごみ容器の上面のふちの一点と前記上面のふちに対向する底面のふちの一点とを結ぶ直線に重なるようにスリットを設け、前期スリットの上端部の幅が下端部の幅より長いことを特徴とする、ごみ圧縮機能を有するごみ容器。
【請求項７】
ごみ容器において、ごみ容器の側面に、ごみ容器の上面のふちの一点と前記上面のふちに対向する底面のふちの一点とを結ぶ直線に重なるようにスリットを設け、前期スリットの下端部の幅が上端部の幅より長いことを特徴とする、ごみ圧縮機能を有するごみ容器。
【請求項８】
ごみ容器において、ごみ容器の側面に、ごみ容器の上面のふちの一点と前記上面のふちに対向する底面のふちの一点とを結ぶ直線に重なるようにスリットを設け、前記スリットの下端部とごみ容器の底面のふちとの間にごみ容器の側面の一部を有し、かつスリットの上端部の幅が下端部の幅より長いことを特徴とする、ごみ圧縮機能を有するごみ容器。
【請求項９】
ごみ容器において、ごみ容器の側面に、ごみ容器の上面のふちの複数の点と前記上面のふちに対向する底面のふちの複数の点とを結ぶ複数の直線に重なるように複数のスリットを設けたことを特徴とする、ごみ圧縮機能を有するごみ容器。
【請求項１０】
ごみ容器において、ごみ容器の側面に、ごみ容器の上面のふちの一点と前記上面のふちに対向する底面のふちの一点とを結ぶ直線に重なるようにスリットを設け、前記スリットの下端部とごみ容器の底面のふちとの間にごみ容器の側面の一部を有し、かつ前記スリットの下端部の幅が上端部の幅より長いことを特徴とする、ごみ圧縮機能を有するごみ容器。
【請求項１１】
ごみ容器において、ごみ容器の側面に、ごみ容器の上面のふちの一点と前記上面のふちに対向する底面のふちの一点とを結ぶ直線に重なるようにスリットを設け、前期スリットの下端部とごみ容器の底面のふちとの間にごみ容器のふたを開閉するためのペダルを有することを特徴とする、ごみ圧縮機能を有するごみ容器。
【発明の詳細な説明】
【技術分野】
【０００１】  この発明は、ごみ圧縮機能を有するごみ容器に関するものである。
【背景技術】
【０００２】  これまでのごみ容器は例えば図１５に示すようなものであった。すなわち上面が開口した箱である。【０００３】  また前記のようなごみ容器に圧縮機能を付加した従来のごみ圧縮機能を有するごみ容器は、例えば実用新案登録第３０６５５８６号、実用新案登録第３０３９５０９号、実用新案登録第３０８２０７１号、公開特許公報第２０００−２７２７０２に記載されている。【０００４】  実用新案登録第３０６５５８６号と実用新案登録第３０３９５０９号に記載されたごみ圧縮機能を有するごみ容器の構造は次のようなものである。すなわちごみ容器のふたがスライド式に脱着自在となっており、そのふたをごみ容器から分離し分離したふたでごみ容器内のごみを手で押して圧縮するものである。【０００５】  実用新案登録第３０８２０７１号に記載されたごみ圧縮機能を有するごみ容器の構造は次のようなものである。すなわちごみ容器の中にごみ押し板を設け、そのごみ押し板に棒のようなものを接続し、ごみ容器のふたをしたまま前記棒のようなものを押すと、その動きに連動しごみ押し板が動き、ごみ容器の中のごみを圧縮するものである。【０００６】  公開特許公報第２０００−２７２７０２に記載されたごみ圧縮機能を有するごみ容器の構造は次のようなものである。すなわちごみ容器の中にごみ押し板があり、そのごみ押し板にペダルを接続手段により取り付け、ペダルを足で踏むとごみ押し板が連動して動き、ごみ容器内のごみを圧縮するものである。【０００７】  これら従来の技術には４つの欠点がある。第一にごみを圧縮するために板やふたなどの器具を必要とする点である。そのため製造コストが高くなる。第二にごみを圧縮するための構造が複雑なため壊れやすくなる点である。第三にごみをふたや押し板などを使って間接的に圧縮するから、ごみを十分に圧縮することができない点である。第四に手で圧縮する方法だとごみを直接手で触るような感覚をもつから衛生的でない。
【特許文献１】実用新案登録第３０６５５８６号
【特許文献２】実用新案登録第３０３９５０９号
【特許文献３】実用新案登録第３０８２０７１号
【特許文献４】公開特許公報第２０００−２７２７０２号
【発明の開示】
【発明が解決しようとする課題】
【０００８】  従来のごみ容器を使用する場合、ごみをそのまま入れるからごみがかさばる。なぜかさばるかといえば、ごみとごみとの間に空間ができその空間がごみの実際の容量に加算されごみ全体の容量がごみの実際の容量より大きくなるからである。例えば一般的な家庭から出るごみを袋に入れ口を閉じ、閉じた袋の口に掃除機のノズルを挿入して空気を吸い出すと、ごみの容量は激減する。このことから従来のごみ容器は実際のごみだけでなく、ごみでない空気などの空間を多く含んでいることがわかる。【０００９】  かといって背景技術で説明した特許文献のようなごみを圧縮する各種仕組みを取り入れると製造に手間がかかりコストがかかることとなる。またごみを圧縮する各種仕組みが複雑なため壊れやすい。さらにごみを圧縮する各種仕組みが簡便な方法でないため、使用する人が気軽に使用する気にならない。使用する人が気軽に使用する気にならなければ、せっかくごみを圧縮する各種仕組みを取り付けても使われず、ごみは結局圧縮されずに捨てられ、何の解決にもならない。【００１０】  ごみを捨てるつどごみを圧縮する簡便な方法があればごみの容量は減少し、ひとつのごみ容器により多くのごみを入れることができ、ごみをゴミ捨て場に捨てる回数を減らすことができる。だが、その簡便な方法が今までなかった。【００１１】  本発明が解決しようとする課題は、板やふた、ペダルなどのごみを圧縮するための器具を一切使用しない構造が簡単で使い勝手がよいごみ圧縮機能を有するごみ容器を提供する点にある。また、安い製造コストでごみを圧縮する機能を有するごみ容器を提供する点にある。また、構造が簡単で壊れにくいごみを圧縮する機能を有するごみ容器を提供する点にある。また、ごみにしっかりと圧力をかけることができる構造をもったごみ圧縮機能を有するごみ容器を提供する点にある。
【課題を解決するための手段】
【００１２】  請求項１に係るごみ圧縮機能を有するごみ容器は、ごみ容器の側面にごみ容器の上面のふちの一点と、前記上面のふちに対向する底面のふちの一点とを結ぶ直線に重なるようにスリットを設けたものである。【００１３】  ごみ容器の上面のふちの一点と前記上面のふちに対向する底面のふちの一点とを結ぶ直線とはスリットを配設するための仮想の線であり、ごみ容器の上面のふち、あるいは底面のふちに対して垂直か垂直に近いかたちで造作の過程で引かれる線である。【００１４】  スリットはこのような性質をもった仮想の線上に配設される。スリットの幅は大人の足が入るくらいの幅であり、おおむね１３センチ程度である。スリットの長さは三通りあり図１のような長さ、すなわちごみ容器の上面のふちからごみ容器の底面のふちまで、あるいは図２のようなごみ容器の上面のふちから、ごみ容器の底面のふちから２センチから１０センチ程度のところまでであり、あるいは図３のようにごみ容器の底面のふちから、上面のふちから２センチから１０センチ程度のところまでである。つまりスリットの長さは、上面のふちから底面のふちまでのタイプと、上面のふちから底面のふちに接していないタイプ、そして底面のふちから上面のふちに接していないタイプがある。またスリットは必ずしもごみ容器本体の中心線に沿って設けなければならないわけではなく図１３のように中心線からはずれた位置に配設してもよい。【００１５】  さらにスリットは必ずしもごみ容器の前面に設けなければならないというわけではない。ごみ容器の側面や後面に設けてもよい。【００１６】  請求項１に係るものを使用するときごみを圧縮する方法は、ごみをごみ容器に投入してから、スリットから足を入れごみを直接足で踏みつけて圧縮する。ゴミ袋を使用する場合はゴミ袋を介してごみを足で踏みつけ圧縮する。またすでに投入されているごみに対しても、スリットから足を入れ直接足で踏みつけて圧縮する。【００１７】  その際、足がごみで汚れる恐れがあるが心配無用である。通常ごみ容器を使用する場合ビニール袋をあらかじめごみ容器に挿入して使用する。本発明もスリットを配設している点をのぞけば普通のごみ容器と変わらないので、ビニール袋をあらかじめ挿入して使用できるので、ごみを直接足で踏むといってもビニール袋の上からビニール袋を介して踏むこととなるから足が汚れることはない。【００１８】  またスリットからごみがもれる恐れがあるがこれも心配無用である。ビニール袋をごみ容器に装着していればスリットからごみがもれてくることはない。仮にビニール袋を装着していなくても、スリットの幅は大人の足の幅程度なので、大きめの紙ごみなどが混ざったごみはスリットにひっかかりもれることはない。【００１９】  請求項２に係るごみ圧縮機能を有するごみ容器は、ごみ容器側面に、ごみ容器の上面のふちの一点と前記上面に対向する底面のふちの一点とを結ぶ直線に重なるようにスリットを設け、前記スリットの下端部とごみ容器の底面のふちとの間にごみ容器本体の側面の一部を有するものである。【００２０】  スリットの下端部とごみ容器の底面のふちとの間にある側面の一部は、本体側面と一体となっている。別の言い方をすればスリットの下端部がごみ容器の底面のふちと接していないことを特徴としているといえる。【００２１】  請求項２に係るものを使用するときごみを圧縮する方法は請求項１と同じくごみをごみ容器に投入し、スリットから足を入れごみを直接足で踏みつけて圧縮する。すでに投入されているごみに対してもスリットから足を入れ直接足で踏みつけごみを圧縮する。【００２２】  請求項３に係るごみ圧縮機能を有するごみ容器は、ごみ容器の側面にごみ容器の上面のふちの一点と前記上面のふちに対向する底面のふちの一点とを結ぶ直線に重なるようにスリットを設け、前記スリットの上端部とごみ容器の上面のふちとの間に、ごみ容器の側面の一部を有するとともに、スリットの下端部がごみ容器の底面のふちと接しているものである。【００２３】  スリットの上端部とごみ容器の上面のふちとの間に設けられる側面の一部は本体の側面と一体となっている。【００２４】  請求項３に係るごみ容器の場合、スリットの下端部とごみ容器の底面のふちとは接しておりスリットの下端部とごみ容器の底面のふちは同一化している。【００２５】  請求項３に係るものを使用するとき、ごみを圧縮する方法は請求項１、２と同様である。【００２６】  請求項４に係るごみ圧縮機能を有するごみ容器は、請求項１，２，３で示したごみ圧縮機能を有するごみ容器にスリットを覆い隠すふたを取り付けたことを特徴としている。スリットを覆い隠すふたとは、長方形の板状のものであり形状は長方形の板状のものを基本とするが台形のものやハート型のもの、何かのキャラクター形のものなどでもよい。要するにスリットを覆い隠すことができればふたの形は多様なものでよい。【００２７】  ふたの材質はプラスチック、あるいはごみ容器本体と同じものが望ましいが別のもの例えば厚紙などでもよい。ふたを取り付ける手段はテープファスナー、磁石、磁石シート、吸盤、あるいは別体の板の上端部をフック状にしてごみ容器の上面のふちにひっかけ、ぶら下げるなどの方法がある。【００２８】  請求項４に係るものを使用するときごみを圧縮する方法は、請求項１，２，３と同じである。【００２９】  請求項５に係るごみ圧縮機能を有するごみ容器は、ごみ容器の側面にごみ容器の上面のふちの一点と前記上面のふちに対向する底面のふちの一点とを結ぶ直線に重なるように開閉自在な扉を設けたものである。【００３０】  扉は片開きのものでも観音開きのものでもよい。扉の幅は大人の足の幅と同じくらいである。また扉の高さは、ごみ容器の上面のふちから底面のふちまでか、ごみ容器の上面のふちから底面のふちから２センチから１５センチ高い位置までである。【００３１】  請求項５に係るものを使用するとき、ごみを圧縮する方法は扉を開きできたスリットに足を入れごみを直接足で踏みつける。【００３２】  請求項６に係るごみ圧縮機能を有するごみ容器は、ごみ容器の側面にごみ容器の上面のふちの一点と、前記上面のふちに対向する底面のふちの一点とを結ぶ直線に重なるようにスリットを設け、前記スリットの上端部の幅が下端部の幅より長いものである。【００３３】  これによりスリットの形は、請求項１の長方形型のスリットではなくＶ字型のスリットとなる。極端にスリットの下端部の幅を小さくすればスリットの形はＶ字と���る。別の言い方をすれば、請求項１のスリットは、スリットを構成する２本の線が平行であったが、請求項６のスリットは平行ではなくＶ字型に対向する。【００３４】  請求項７に係るごみ圧縮機能を有するごみ容器は、ごみ容器の側面にごみ容器の上面のふちの上面のふちの一点と前記上面のふちに対向する底面のふちの一点とを結ぶ直線に重なるようにスリットを設け、前記スリットの下端部の幅が上端部の幅より長いものである。【００３５】  これにより、スリットは請求項１の長方形型のスリットではなく、ハの字型のスリットとなる。別な言い方をすれば、請求項７のスリットを構成する２本の線は平行でも、Ｖ字でもなく、ハの字型に対向する。【００３６】  請求項８に係るごみ圧縮機能を有するごみ容器は、ごみ容器の側面にごみ容器の上面のふちの一点と前記上面のふちに対向する底面のふちの一点とを結ぶ直線に重なるようにスリットを設け、前記スリットの下端部とごみ容器の底面のふちとの間にごみ容器の側面の一部を有しかつスリットの上端部の幅が下端部の幅より長いものである。すなわち請求項２の発明の特徴と請求項６の発明の特徴をあわせもつものである。【００３７】  請求項８に関連する発明として、ごみ容器の側面にごみ容器の上面のふちの一点と前記上面のふちに対向する底面のふちの一点とを結ぶ直線に重なるようにスリットを設け、前記スリットの下端部とごみ容器の底面のふちとの間に、ごみ容器の側面の一部を有し、かつ、スリットの上端部の幅が下端部の幅より短いものも考えられる。すなわち請求項２の発明の特徴と請求項７の発明の特徴をあわせもつものである。この請求項２の発明の特徴と請求項７の発明の特徴をあわせもつものが、請求項１０の発明である。【００３８】  請求項９に係るごみ圧縮機能を有するごみ容器はごみ容器の側面にごみ容器の上面のふちの複数の点と前記上面のふちに対向する底面のふちの複数の点とを結ぶ複数の直線に重なるように複数のスリットを設けたものである。【００３９】  つまり請求項１および請求項２で説明したスリットがごみ容器の側面に複数本設けられているものである。【００４０】  請求項１１に係るごみ圧縮機能を有するごみ容器は、ごみ容器の側面にごみ容器の上面のふちの一点と前記上面のふちに対向する底面のふちの一点とを結ぶ直線に重なるようにスリットを設け、前記スリットの下端部とごみ容器の底面のふちとの間にごみ容器のふたを開閉するためのペダルを有するものである。【００４１】  ペダルは必ずしもスリットの下端部とごみ容器の底面のふちとの間になければならないわけではないが、前記のように配置することによりごみ容器の利便性が増す。【００４２】  本発明の技術理念を取り入れたごみ容器を製造する方法を以下に記す。【００４３】  製造方法は一般のプラスチック製品を製造するために使われている射出成形方法などによる。【００４４】  また本発明の材質はプラスチックが最適であるが、ダンボールや木、硬質の紙などでもよい。
【発明の効果】
【００４５】  本発明に係るごみ圧縮機能を有するごみ容器を使用するときは、ごみをスリットから足を入れ足で踏みつけて圧縮するため、特別なごみ圧縮のための構造、機構を必要としない。そのため低コストでごみ容器にごみ圧縮機能を付加することができる。構造が簡単だから安く製造できしかも壊れにくい。またスリットから足を入れ直接ごみを踏むから力をかけやすく体重をのせて踏めばごみを大幅にしかも確実に圧縮することができる。ごみを大幅にしかも確実に圧縮できるからごみをごみ容器にたくさん詰め込むことができ、ごみをごみ捨て場に捨てに行く回数を減らすことができ手間を減らせる。【００４６】  また使い方が単純明快で分かりやすいから使われやすい。スリットの下端部にごみを袋ごと抜き取るときに足をかけることができるので、ごみが抜き取りやすくなる。【００４７】  ごみ袋を装着して使用する場合、ごみをゴミ袋を介して足でごみを踏むから、従来技術である手で圧縮する方法より衛生的で使用するのに心理的抵抗が少ない。【００４８】  使用するゴミ袋を透明なものにすれば、スリット越しにごみ容器の中に何が入っているかわかるし、入っているごみの容量が一目でわかるという効果もある。
【発明を実施するための最良の形態】
【００４９】  以下、本発明の実施の形態を図１４に基づいて説明する。【００５０】ごみ容器には側面に図で示すように縦長のスリットが設けられている。スリットの幅は大人の足の幅程度であるので、そのスリットに足を入れることができる。足を入れたら、足でごみ容器の中に入っているごみを踏みつけてごみを圧縮する。【００５１】  以上のように本実施形態によれば、ごみ圧縮効果が得られるものである。
【実施例】
【００５２】実施例１
実施例１を図１基づいて説明する。ごみ容器の側面に縦長のスリットをごみ容器の上面のふちから底面のふちまで直線的にも設けている。このときスリットの上端部はごみ容器の上面のふちと接し、結果的に上面のふちが欠けた状態、つまりふちがない状態になる。ふちがないおかげで足をスリットに入れやすくなり、上下運動させやすくなる。【００５３】実施例２
実施例２を図２に基づいて説明する。ごみ容器の側面に縦長のスリットをごみ容器の上面のふちから設けている点は実施例１と同じであるが、スリットの下端部がごみ容器の底面のふちと接していない点が実施例１と違う点である。スリット下端部とごみ容器の底面のふちの間は、ごみ容器の側面本体の一部であり、その高さはごみ容器の底面のふちから３センチから１５センチ程度の高さである。【００５４】実施例３
実施例３を図３に基づいて説明する。ごみ容器の側面にスリットを設けるが、スリットの上端部とごみ容器の上面のふちが接していない。スリットの上端部とごみ容器の上面のふちの間は、ごみ容器の側面本体の一部であり、その高さはごみ容器の上面のふちから５センチ程度であり、足は側面本体の一部の下から入れることとなる。一方スリットの下端部はごみ容器の底面のふちに接している。【００５５】実施例４
実施例４を図４に基づいて説明する。ごみ容器の側面にスリットを設け、そのスリットを覆い隠すような板状の部材を用意し、テープファスナーや磁石などの取付手段により、板状の部材をスリットの上に貼り付けるようにする。それによりごみ容器の中のごみが見えなくなるので見栄えがよくなる。【００５６】実施例５
実施例５を図５に基づいて説明する。ごみ容器の側面に実施例１から３のスリットを設ける位置と同じ位置に扉を設ける。扉は開閉自在で片開きでも、観音開きでもよい。ごみを圧縮するときは扉を開けて足を入れ、ごみを足で直接踏みつけて圧縮する。【００５７】実施例６
実施例６を図６に基づいて説明する。スリットを実施例２のようにごみ容器の側面に設けるがスリットの幅がスリットの上端部と下端部で異なっている。実施例６ではスリットの上端部のほうが長い。このためスリットの形がＶ字に近い形となっている。このことにより足をごみ容器の中に入れやすくなる。【００５８】実施例７
実施例７を図７に基づいて説明する。スリットを実施例２のようにごみ容器の側面に設けるが、スリットの幅がスリットの上端部と下端部とで異なっている。実施例７ではスリットの下端部の方が長い。このためスリットの形が台形に近い形となっている。【００５９】実施例８
実施例８を図８に基づいて説明する。図示するように実施例１あるいは実施例２、６，７のスリットを複数本、ごみ容器の側面に設けたものである。【００６０】実施例９
実施例９を図９に基づいて説明する。ごみ容器の側面にスリットあるいは扉を設けたごみ容器を横方向に連結手段で連結したものである。連結手段とは接着剤による接着や、磁石、テープファスナーなどによる方法である。【００６１】実施例１０
実施例１０を図１０に基づいて説明する。ごみ容器の側面にスリットあるいは扉を設けたごみ容器を縦方向に連結手段で連結したものである。連結手段は実施例９と同じである。【００６２】実施例１１
実施例１１を図１１に基づいて説明する。ごみ容器の側面にスリットを設け、そのスリットを覆うような板状の部材を用意し、その板状の部材の上端部がフックのように曲がっており、そのフックをごみ容器の上面のふちに引っ掛けるようにして、スリットを板状の部材で覆う。この方法により取付手段を必要とせずにスリットを覆い隠せることとなる。【００６３】実施例１２
実施例１２を図１２に基づいて説明する。ごみ容器の側面にスリットを設けるがスリットの下端部とごみ容器の底面のふちとの間にふたを開閉するためのペダルを設けたものである。ふたを開閉する手段はペダルとふたを棒でつなぐなどの従来技術で使われているものを使用する。【００６４】実施例１３
実施例１３を図１３に基づいて説明する。ごみ容器の側面にスリットを設けるが、そのスリットを設ける位置が、ごみ容器の側面板の中心線をはずれた位置にスリットを設けるものである。効果、使用方法等はスリットを中心線に設けたタイプと何ら変わらない。
【産業上の利用可能性】
【００６５】  本発明は、家庭用ごみ容器に使用するのを主とするが、あらゆる産業ごみを収納する産業用ごみ容器にも使用できる。
【図面の簡単な説明】
【００６６】
【図１】本発明の実施形態を示す立体図である。
【図２】別の実施形態を示す立体図である。
【図３】更に別の実施形態を示す立体図である。
【図４】              〃
【図５】              〃
【図６】              〃
【図７】              〃
【図８】              〃
【図９】              〃
【図１０】              〃
【図１１】              〃
【図１２】              〃
【図１３】              〃
【図１４】本発明の使用方法を示す立体図である。
【図１５】従来のごみ容器を示す立体図である。
【符号の説明】
【００６７】１  ごみ容器本体
２  ごみ容器側面
３  スリット
４  ごみ容器上面のふち
５  ごみ容器底面のふち
６  スリット上端部
７  スリット下端部
８  板
９  取付手段
１０  扉
１１  連結具
１２  ペダル
１３  足
１４  ふた
【図１】
2006347765.tif 000003
【図２】
2006347765.tif 000004
【図３】
2006347765.tif 000005
【図４】
2006347765.tif 000006
【図５】
2006347765.tif 000007
【図６】
2006347765.tif 000008
【図７】
2006347765.tif 000009
【図８】
2006347765.tif 000010
【図９】
2006347765.tif 000011
【図１０】
2006347765.tif 000012
【図１１】
2006347765.tif 000013
【図１２】
2006347765.tif 000014
【図１３】
2006347765.tif 000015
【図１４】
2006347765.tif 000016
【図１５】
2006347765.tif 000017